(57)【特許請求の範囲】
【請求項１】
被検眼を測定する測定手段と、
被検眼の角膜に指標光束を投影する指標投影手段と、
被検眼の瞳孔中心位置を検出する瞳孔中心位置検出手段と、
前記指標投影手段から投影した光束の角膜による反射光束から角膜反射指標像位置を検出する角膜反射指標像位置検出手段と、
前記測定手段と被検眼の角膜に指標光束を投影する前記指標投影手段と前記瞳孔中心位置検出手段と前記角膜反射指標像位置検出手段とを含む装置光学部を移動させるための駆動手段と、
前記瞳孔中心位置検出手段により検出された瞳孔中心位置と前記測定手段の光軸とが予め設定した許容領域内にある場合に前記角膜反射指標像位置検出手段により検出された前記角膜反射指標像の位置を中心とした領域を設定し、被検眼が雲霧状態のときの角膜反射指標像が前記領域内に入るように前記駆動手段を制御する制御手段と、を有することを特徴とする眼科検査装置。
【請求項２】
被検眼を測定する測定手段と、
被検眼の角膜に指標光束を投影する指標投影手段と、
被検眼の瞳孔中心位置を検出する瞳孔中心位置検出手段と、
前記指標投影手段から投影した光束の角膜による反射光束から角膜反射指標像位置を検出する角膜反射指標像位置検出手段と、
前記測定手段と前記指標投影手段と前記瞳孔中心位置検出手段と前記角膜反射指標像位置検出手段とを含む装置光学部を移動させるための駆動手段と、
前記瞳孔中心位置検出手段により検出された瞳孔中心位置と前記測定手段の光軸とが予め設定した許容領域内にある場合に前記角膜反射指標像位置検出手段により検出された前記角膜反射指標像の位置から求められる角膜頂点の位置を中心とした領域を設定し、被検眼が雲霧状態のときの前記角膜頂点が前記領域内に入るように前記駆動手段を制御する制御手段と、を有することを特徴とする眼科検査装置。
【請求項３】
被検眼の前眼部像を撮像する撮像手段と、前眼部像と共に前記領域を表示する表示手段とを有することを特徴とする請求項１又は２に記載の眼科検査装置。
【請求項４】
前記指標投影手段の光源は、前記測定手段の光源を用いることを特徴とする請求項１又は２に記載の眼科検査装置。
【請求項５】
前記瞳孔位置検出手段と前記角膜反射指標像位置検出手段は同一の撮像手段を用いることを特徴とする請求項１又は２に記載の眼科検査装置。
【発明の詳細な説明】
【０００１】
【発明の属する技術分野】
本発明は、眼科医院等で行う眼科機器を用いた眼科検査装置に関するものである。
【０００２】
【従来の技術】
従来から眼科検査装置においては、被検眼を観察し、装置の検査部と被検眼との位置合わせを行って、眼屈折力や眼底像、眼底血流量などの被検眼の固有情報を得ている。
【０００３】
これらの眼科検査装置では、装置の検査部と被検眼との位置合わせを行う際に、検者が操作手段を操作し、テレビモニタに映し出された被検眼の前眼部像を観察しながら、検査部と被検眼との位置の粗調整を行い、被検眼の角膜に投影された指標光束の角膜反射像が現れると、テレビモニタなどの表示部の光軸周りに表示されている位置合わせ用マークに、その角膜反射像が一致するように、操作手段を操作して位置合わせを行っている。或いは、被検眼瞳孔がテレビモニタなどの表示部の光軸周りに表示されている位置合わせ用マークに一致するように操作手段を操作して位置合わせを行っている。
【０００４】
しかし近年になって、被検眼の角膜に位置合わせ用の指標を投影し、その反射指標像を光電的に検出して、その角膜反射指標像と装置測定部の光軸とが一致するように、装置測定部が固定されている３軸方向に駆動することができる駆動手段を制御することにより、被検眼と装置との位置合わせを自動的に行う眼科検査装置が提案されている。
【０００５】
また、個人差或いは病的要因によって異なるが、殆どの人眼の被検眼は瞳孔中心に対して角膜頂点は偏心していることが知られている。
【０００６】
【発明が解決しようとする課題】
しかしながら上述の従来例においては、被検眼の角膜反射指標像を光電的に検出して、その角膜反射指標像と装置測定部の光軸とが一致するように、駆動手段を制御することにより自動的に位置合わせを行っている眼科検査装置では、被検眼の瞳孔中心と角膜中心とが偏心している被検眼では、角膜反射指標像中心に装置と被検眼との位置合わせを行うと光軸に対して瞳孔が偏心してしまい、被検眼の固有情報を測定するために必要な光束が瞳孔によってけられてしまい、測定が不安定になるという問題が生ずる。
【０００７】
また、被検眼の固有情報を測定するために必要な光束が、瞳孔によってけられないように瞳孔を光電的に検出してその被検眼瞳孔と装置測定部の光軸とが一致するように、駆動手段を制御することにより自動的に位置合わせを行おうとする眼科検査装置では、被検眼の調節などにより瞳孔径が大きくなったり小さくなったり変化するので、瞳孔中心を光電的に検出するために複雑な処理が必要となり、瞳孔中心の検出に時間が掛かってしまい、測定に支障をきたしてしまうことになる。
【０００８】
本発明の目的は、上述の問題点を解消し、瞳孔中心と角膜中心とが偏心している被検眼においても、速やかに自動的に装置と被検眼との位置合わせを行うことができ、かつ被検眼の固有情報を測定するために必要な光束が瞳孔によってけられることなく、安定した測定ができる眼科検査装置を提供することにある。
【０００９】
【課題を解決するための手段】
上記目的を達成するための本発明に係る眼科検査装置は、被検眼を測定する測定手段と、被検眼の角膜に指標光束を投影する指標投影手段と、被検眼の瞳孔中心位置を検出する瞳孔中心位置検出手段と、前記指標投影手段から投影した光束の角膜による反射光束から角膜反射指標像位置を検出する角膜反射指標像位置検出手段と、前記測定手段と被検眼の角膜に指標光束を投影する前記指標投影手段と前記瞳孔中心位置検出手段と前記角膜反射指標像位置検出手段とを含む装置光学部を移動させるための駆動手段と、前記瞳孔中心位置検出手段により検出された瞳孔中心位置と前記測定手段の光軸とが予め設定した許容領域内にある場合に前記角膜反射指標像位置検出手段により検出された前記角膜反射指標像の位置を中心とした領域を設定し、被検眼が雲霧状態のときの角膜反射指標像が前記領域内に入るように前記駆動手段を制御する制御手段と、を有することを特徴とする。
【００１０】
また、本発明に係る眼科検査装置は、被検眼を測定する測定手段と、被検眼の角膜に指標光束を投影する指標投影手段と、被検眼の瞳孔中心位置を検出する瞳孔中心位置検出手段と、前記指標投影手段から投影した光束の角膜による反射光束から角膜反射指標像位置を検出する角膜反射指標像位置検出手段と、前記測定手段と前記指標投影手段と前記瞳孔中心位置検出手段と前記角膜反射指標像位置検出手段とを含む装置光学部を移動させるための駆動手段と、前記瞳孔中心位置検出手段により検出された瞳孔中心位置と前記測定手段の光軸とが予め設定した許容領域内にある場合に前記角膜反射指標像位置検出手段により検出された前記角膜反射指標像の位置から求められる角膜頂点の位置を中心とした領域を設定し、被検眼が雲霧状態のときの前記角膜頂点が前記領域内に入るように前記駆動手段を制御する制御手段と、を有することを特徴とする。
【００１１】
【発明の実施の形態】
本発明を図示の実施例に基づいて詳細に説明する。
図１は第１の実施例の構成図である。被検眼Ｅに対向してダイクロイックミラー１が配置されており、その反射方向には前眼部観察用対物レンズ２、ダイクロイックミラー３が配置され、ダイクロイックミラー３の反射方向の光路Ｏ１上にはダイクロイックミラー４、結像レンズ５が設けられ、被検眼Ｅの前眼部付近と略共役な位置にＣＣＤカメラなどの撮像素子６が配置されている。また、被検眼Ｅの前眼部を照明するための近赤外光を発するＬＥＤなどの前眼部照明光源７が被検眼Ｅとダイクロイックミラー１の間の光軸外の位置に配置されている。これらの前眼部観察用対物レンズ２〜撮像素子６によって前眼部観察光学系が構成されている。
【００１２】
また、ダイクロイックミラー４の反射方向には、結像レンズ８、前眼部付近と略共役な位置にＣＣＤカメラなどの撮像素子９が配置されている。これらの前眼部観察用対物レンズ２〜撮像素子９によって角膜反射指標像撮像光学系が構成されている。
【００１３】
ダイクロイックミラー３の透過方向の光路Ｏ２上にはミラー１０が配置され、このミラー１０の反射方向には図示のない被検眼Ｅが固視するための固視標投影系が配置されている。一方、ダイクロイックミラー１の透過方向の光路Ｏ３上には、眼屈折力測定用対物レンズ１１、ハーフミラーなどのビームスプリッタ１２、孔あきミラー１３、投影絞り１４、投影レンズ１５、指標板１６、前眼部照明光源７よりも数１０ｎｍ波長が長い近赤外光を発する眼屈折力測定光源１７が配置されている。これらの眼屈折力測定用対物レンズ１１〜眼屈折力測定光源１７によって眼屈折力測定光投影光学系が構成されている。
【００１４】
また、孔あきミラー１３の反射方向には、光軸外に６つの開口を有する６孔絞り１８が配置され、その後方には６分割プリズム１９、リレーレンズ２０、ＣＣＤカメラなどの撮像素子２１が配置されている。これらの眼屈折力測定用対物レンズ１１〜撮像素子２１により眼屈折力測定受光光学系が構成されている。
【００１５】
更に、ビームスプリッタ１２の反射方向の光軸上には、角膜指標投影レンズ２１、角膜指標２２、ＬＥＤなどの近赤外光を発する角膜指標用光源２３が配置されており、これらの眼屈折力測定用対物レンズ１１〜ビームスプリッタ１２〜角膜指標用光源２３により角膜指標投影光学系が構成されている。
【００１６】
ここで、ダイクロイックミラー１は眼屈折力測定光源１７及び角膜指標用光源２３から発せられる波長の光の大部分を透過し一部分を反射し、前眼部照明光源７から発せられた波長の光を反射する特性を有しており、ダイクロイックミラー３は可視光を透過し、近赤外光を反射する特性を有している。また、ダイクロイックミラー４は眼屈折力測定光源１７及び角膜指標用光源２３から発せられる波長の光を反射し、前眼部照明光源７から発せられた波長の光を透過する特性を有している。
【００１７】
また、前述の前眼部観察光学系、角膜反射指標像撮像光学系、固視標投影光学系、眼屈折力測定光投影光学系、眼屈折力測定受光光学系、角膜指標投影光学系などにより被検眼検査部が構成されており、この被検眼検査部は３軸方向に移動することのできる架台の上に載置されており、架台はモータなどの駆動手段３１により電動で移動可能となっている。
【００１８】
そして、撮像素子６、撮像素子９及び撮像素子２１は、それぞれＡ／Ｄコンバータ３２、Ａ／Ｄコンバータ３３及びＡ／Ｄコンバータ３４に接続され、これらの出力はそれぞれ画像メモリ３５、画像メモリ３６及び画像メモリ３７に接続されていると共に、装置の全ゆる制御を行う演算処理部３８に接続されている。演算処理部３８には、この他に眼屈折力測定光源１７、角膜指標用光源２３及び測定開始スイッチや駆動手段を操作するためのスイッチなどが配置された信号入力手段３９が接続されている。更に、演算処理部３８にはＤ／Ａコンバータ４０、テレビモニタ４１、更に駆動手段３１が接続されている。
【００１９】
図２は本実施例の作用を示したフローチャート図である。先ず、検者が信号入力手段３９に設けられている測定開始スイッチを押すと、装置は測定動作を開始する。すると、被検眼Ｅは前眼部照明光源７により照明され、被検眼Ｅの前眼部照明光源７による前眼部周辺からの反射散乱光はダイクロイックミラー１で反射され、前眼部観察用対物レンズ２により略平行光とされ、ダイクロイックミラー３を反射し、ダイクロイックミラー４を透過し結像レンズ５を介して撮像素子６上に結像する。
【００２０】
そして、撮像素子６の出力信号はＡ／Ｄコンバータ３２によってデジタル信号に変換され、演算処理部３８、Ｄ／Ａコンバータ４０を介してテレビモニタ４１上に前眼部像Ｅ’が映出される。同時に、デジタル信号に変換された前眼部像のデータは画像メモリ３５に記憶されると、演算処理部３８は記憶された前眼部像データより、被検眼Ｅの瞳孔を抽出して瞳孔中心位置を検出する。この瞳孔中心位置の検出方法は、例えば前眼部を十分に照明すると前眼部像Ｅ’の明るさは瞳孔が最も暗く、虹彩、強膜の順で明るくなるので、適当な閾値によって２値化処理することにより瞳孔の境界を求めることができ、これにより瞳孔中心位置を算出することができる。
【００２１】
演算処理部３８は瞳孔中心位置が検出されると、被検眼検査部の光軸と瞳孔中心位置との光軸と垂直な面内でのずれ量を算出し、それらが一致するように駆動手段３１を制御する。１回目の瞳孔中心位置検出、駆動が終わると、演算処理部３８は再び瞳孔中心位置検出を行い、装置測定光軸とのずれ量が予め設定した或る許容領域内にあるかを判断する。
【００２２】
この許容領域内にない場合は、被検眼検査部の光軸と瞳孔中心位置との光軸が一致するように駆動手段３１を制御し、再度瞳孔中心位置と装置測定光軸とのずれ量がこの許容領域内にあるかを判断する。
【００２３】
この許容領域内にあると判断した場合に、演算処理部３８は直ちに角膜指標用光源２３を点灯する。すると、角膜指標用光源２３から射出した光束は角膜指標２２を照明し、角膜指標２２の透光部を透過した角膜指標光束は角膜指標投影レンズ２１、ビームスプリッタ１２により一旦眼屈折力測定用対物レンズ１１の手前で角膜指標２２の像を作り、対物レンズ１１により略平行光とされ、その大部分がダイクロイックミラー１を透過し被検眼Ｅに達する。
【００２４】
被検眼Ｅの角膜Ｅｃにより反射された光束は、角膜曲率中心と角膜頂点の中点の位置に反射光束の反射像を形成し、その光束の一部がダイクロイックミラー１により反射され、前眼部観察用対物レンズ２により略平行光とされ、ダイクロイックミラー３で光路Ｏ１に偏向され、ダイクロイックミラー４により反射され、結像レンズ８により撮像素子９上に達し、角膜反射指標像を含む画像として撮像され、Ａ／Ｄコンバータ３３によりデジタル化され画像メモリ３６に記憶される。
【００２５】
同時に、演算処理部３８は画像メモリ３６に記憶された角膜反射指標像を含む画像データから、角膜反射指標像を抽出し角膜反射指標像位置を求め、求めた角膜反射指標像の位置を中心とした予め定められている面積を有する位置合わせ許容領域を設定する。この位置合わせ許容領域の予め定められている面積は、被検眼の固有情報を測定する場合に安定した測定値が得られる範囲を予め求めておき、設定されるものである。また、位置合わせ許容領域をモニタなどの表示手段に表示するようにしてもよい。
【００２６】
次に、既知の方法で被検眼Ｅの雲霧を促すために固視標投影光学系を制御する。被検眼Ｅのより正確な屈折力測定を行うためには、固視標を段階的に遠去けて雲霧を促す必要があり、また被検眼Ｅの調節にも数秒の時間がかかる。従って、上記のように被検眼瞳孔中心位置を検知し、瞳孔中心位置と装置測定光軸とを一致させ、略同時に角膜反射指標像位置を検知し、角膜反射指標像位置を中心とする位置合わせ許容領域を設定した後に被検眼Ｅの雲霧を促すと、被検眼Ｅの眼球運動などにより設定した位置合わせ許容領域から角膜反射指標像が逸脱してしまうことがある。つまり、これは被検眼瞳孔中心と装置測定光軸とのずれ量が測定許容範囲を超えてしまっていることになる。
【００２７】
続いて、被検眼Ｅが雲霧状態になると、演算処理部３８は角膜反射指標像位置を検出し、角膜反射指標像が既に設定されている位置合わせ許容領域内にあるか否かを判断する。角膜反射指標像が位置合わせ許容領域内にない場合に、角膜反射指標像が位置合わせ許容領域内に入るように駆動手段３１を制御し、再度角膜反射指標像位置を検出し、角膜反射指標像が既に設定されている位置合わせ許容領域内にあるか否かを判断する。
【００２８】
角膜反射指標像が位置合わせ許容領域内にある場合に、既知の方法で被検眼Ｅの固有情報である眼屈折力を測定する。本実施例では、信号入力手段３９に設けられている測定回数設定スイッチにより、任意の測定回数を設定することができる。ここでは、例えばＮ回の測定回数が設定されているとすると、１回目の測定が終了すれば演算処理部３８は再び角膜反射指標像位置を検出し、角膜反射指標像が既に設定されている位置合わせ許容領域内にあるか否かを判断し、位置合わせ許容領域内にない場合には駆動手段３１を制御し、角膜反射指標像が位置合わせ許容領域内にある場合は次の眼屈折力測定を行う。
【００２９】
そして、Ｎ回目の測定が終了すると測定動作を停止し、未だ未測定の片眼を測定するために駆動手段３１を所定量制御し、未測定の片眼の前眼部像が前眼部観察光学系により撮像されると、未だ未測定の片眼の瞳孔中心位置を検出し、測定動作を開始する。以降、測定回数がＮ回になるまで前述の動作を行い、Ｎ回目の測定が終了すると測定結果をモニタなどの表示手段３３に表示し、図示しないプリンタなどの印刷手段に測定結果を出力し全測定動作を終了する。
【００３０】
従来例でも述べたように、人眼の瞳孔中心と角膜頂点とは必ずしも一致しているわけではなく、むしろ偏心している場合の方が多いと云われている。従って、瞳孔中心に対する角膜頂点の偏心が大きい被検眼Ｅにおいては、角膜頂点基準に装置測定光軸との位置合わせをしたのでは、被検眼固有の情報を測定するために必要な光束が瞳孔によりけられてしまうという虞れがある。
【００３１】
しかし、本実施例はそのような被検眼においても、瞳孔の中心位置を検出し駆動手段３１を制御して瞳孔中心位置と測定光軸とを略一致させ、同時に角膜頂点付近にある角膜反射指標像位置を検出して、角膜反射指標像位置を中心に位置合わせ許容領域を設定し、位置合わせ許容領域内の角膜反射指標像が入るように駆動手段３１を制御しているので、被検眼瞳孔中心と測定光軸が一致しており、測定に必要な光束が瞳孔によってけられてしまうことがない。
【００３２】
また、瞳孔中心位置を検出するよりも、角膜反射指標像位置を検出する方が走査するメモリ領域が小さく、短時間で検出できるので、位置合わせの時間が短縮でき、被検者の負担を軽減できる。
【００３３】
また本実施例では、眼屈折力測定光源１７と角膜指標用光源２３と個々に設けているが、ダイクロイックミラー１０、角膜指標投影レンズ２１、角膜指標２２、角膜指標用光源２３を除去し、眼屈折力測定光源１７からの光束を角膜指標光束としてもよい。かくすることにより、装置を簡素化、小型化することができる。
【００３４】
更に、本実施例では光源を光軸上に配置したが、軸外に光軸対称に複数の光源を配置し、複数の光源による複数の角膜反射光源像（指標像）を検出し、角膜反射光源像（指標像）が測定光軸と対称になるように駆動手段３１を制御して位置合わせを行えば、同様の効果が得られる。
【００３５】
図３は第２の実施例の構成図である。なお、図１と同一の符号は同一の部材を表している。第１の実施例では、眼屈折力測定用対物レンズ１１〜ビームスプリッタ１２〜角膜指標用光源２３により、略光軸上から被検眼Ｅの角膜Ｅｃに向けて位置合わせ用の角膜指標を投影するための角膜指標投影光学系が構成されていたが、この第２の実施例では眼屈折力測定用対物レンズ１１の後方の光軸外から光軸に対称にＬＥＤなどの角膜指標光源４１、４２が配置されている。この角膜指標光源４１、４２と眼屈折力測定用対物レンズ１１により、位置合わせ用の角膜指標を投影するための角膜指標投影光学系が構成されている。
【００３６】
また光軸Ｏ１上には、図４に示すように光軸外に対称な２つの開口４３ａ、４３ｂ、光軸上の開口４３ｃを有する絞り板４３が配置されている。そして、開口４３ａ、４３ｂには偏向プリズム４４ａ、４４ｂがそれぞれ密接されている。なお、角膜指標光源４１、４２は前眼部照明光源７が発する光の波長と異なり、眼屈折力測定光源１７が発する波長と同じ波長の光を発し、開口４３ａ、４３ｂは眼屈折力測定光源１７及び角膜指標光源４１、４２からの波長光のみ透過するようになっており、偏向プリズム４４ａは紙面の奥の方に、偏向プリズム４４ｂは紙面手前の方に光束を偏向するようになっている。
【００３７】
被検眼Ｅと装置光学部との位置合わせについて説明すると、図５〜図７は角膜指標光源４２から発した光束が、眼屈折力測定用対物レンズ１１により角膜Ｅｃに投影され、角膜Ｅｃにより反射された光束がダイクロイックミラー１、前眼部観察用対物レンズ２、ダイクロイックミラー３を介した後に、偏向プリズム４４ａ、４４ｂ、絞り板４３により分割、偏向され、結像レンズ５により撮像素子６上に導かれている様子の説明図である。図５は被検眼Ｅと装置との距離が適正な場合、図６は近過ぎる場合、図７は遠過ぎる場合を示している。
【００３８】
光束Ｌｃは開口４３ｃにより制限された光束であり、光束Ｌａは開口４３ａにより制限され、偏向プリズム４４ａにより紙面の奥の方に偏向された光束、光束Ｌｂは開口４３ｂにより制限され、偏向プリズム４４ｂにより紙面の手前の方に偏向された光束である。
【００３９】
また、図８〜図１０は瞳孔中心位置に位置合わせをした後のテレビモニタ４１に映し出された前眼部像Ｅ’を示し、Ｐ１、Ｐ２、Ｐ３はそれぞれ角膜指標光源４１の絞り板４３の開口４３ａ、４３ｂ、４３ｃにより分割された像であり、Ｑ１、Ｑ２、Ｑ３はそれぞれ角膜指標光源４２の絞り板４３の開口４３ａ、４３ｂ、４３ｃにより分割された像である。図８は被検眼Ｅと装置との距離が適正な場合、図９は近過ぎる場合、図１０は遠過ぎる場合を示している。
【００４０】
このように、第２の実施例では、角膜Ｅｃにより反射された角膜指標光源像Ｐ１、Ｐ２、Ｐ３及びＱ１、Ｑ２、Ｑ３の位置を検知し、駆動手段３１を制御することにより、適正な被検眼Ｅと装置との距離に位置合わせすることができる。更に、角膜指標光源４１及び４２は測定光軸に対して対称に配置されているので、角膜Ｅｃにより反射された角膜指標光源像Ｐ３及びＱ３の位置を検知し、その中点を求めることにより角膜頂点位置を求めることができる。
【００４１】
そして、求めた角膜頂点位置の周りに第１の実施例と同様に、位置合わせ許容領域を設定し、角膜頂点位置が設定した位置合わせ許容領域内にあるか否かを判断し、位置合わせ許容領域内に角膜頂点位置がないと判断した場合には、駆動手段３１を制御して再び角膜頂点位置を求め、位置合わせ許容領域内にあるか否かを判断する。位置合わせ許容領域内に角膜頂点位置があると判断した場合には、被検眼眼屈折力を測定する。
【００４２】
このように、測定光軸に対称に角膜指標光源を配置し、光源からの角膜による反射光束を複数に分割し、分割した光束を偏向するプリズムを設けることで、被検眼の角膜頂点を検知でき、被検眼と装置との距離を適正な距離にすることができ、得られた複数の角膜指標像から角膜頂点を求めることができる。
【００４３】
【発明の効果】
以上説明したように本発明に係る眼科検査装置は、瞳孔中心に対する角膜頂点の偏心が大きい被検眼においても、被検眼瞳孔中心位置を検出し、駆動手段を制御して瞳孔中心位置と測定光軸とを略一致させ、同時に角膜頂点付近にある角膜反射指標像位置を検出して、角膜反射指標像位置を中心に位置合わせ許容領域を設定し、この位置合わせ許容領域内に角膜反射指標像が入るように駆動手段を制御するので、被検眼瞳孔中心と測定光軸が一致し、測定に必要な光束が瞳孔によってけられてしまうことがない。
【００４４】
また、瞳孔中心位置を検出するよりも、角膜反射指標像位置を検出する方が走査するメモリ領域が小さく短時間で検出できるので、位置合わせの時間が短縮でき被検者の負担を軽減できる。
【００４５】
更に、瞳孔中心を検出し、瞳孔中心に位置合わせした後に角膜指標用光源を点灯することにより、瞳孔中心位置を検出するときに角膜指標光による反射光が瞳孔検出に悪影響を与えることがない。
【００４６】
また、眼屈折力測定光源と角膜指標用光源とを共用することにより装置を簡素化、小型化することができる。
【００４７】
そして、測定光軸の軸外に光軸対称に複数の光源を配置し、複数の光源による複数の角膜反射光源像（指標像）を検出し、角膜反射光源像（指標像）が測定光軸対称になるように駆動手段を制御して位置合わせを行うようにすると、角膜反射指標像の検出範囲を広くすることができる。
【００４８】
更に、角膜指標光源からの角膜による反射光束を複数に分割し、分割した光束を偏向するプリズムを設けることで被検眼の角膜頂点を検知でき、被検眼と装置との距離を適正な距離にすることができる。
【図面の簡単な説明】
【図１】第１の実施例の構成図である。
【図２】フローチャート図である。
【図３】第２の実施例の構成図である。
【図４】絞り板の正面図である。
【図５】距離が適正な場合の角膜反射指標光束の説明図である。
【図６】近過ぎる場合の角膜反射指標光束の説明図である。
【図７】遠過ぎる場合の角膜反射指標光束の説明図である。
【図８】距離が適正な場合のテレビモニタに映出された前眼部像の説明図である。
【図９】距離が近過ぎる場合のテレビモニタに映出された前眼部像の説明図である。
【図１０】距離が遠過ぎる場合のテレビモニタに映出された前眼部像の説明図である。
【符号の説明】
１、３、４  ダイクロイックミラー
２  前眼部観察用対物レンズ
６、９、２１  撮像素子
７  前眼部照明光源
１１  眼屈折力測定用対物レンズ
１６、２２  指標板
１７  眼屈折力測定光源
２３  角膜指標用光源
３１  駆動手段
３３  テレビモニタ
３８  演算処理部
３９  信号入力手段
４１、４２  角膜指標光源
４４ａ、４４ｂ  偏向プリズム
【図１】
0004481420.tif 000002
【図２】
0004481420.tif 000003
【図３】
0004481420.tif 000004
【図４】
0004481420.tif 000005
【図５】
0004481420.tif 000006
【図６】
0004481420.tif 000007
【図７】
0004481420.tif 000008
【図８】
0004481420.tif 000009
【図９】
0004481420.tif 000010
【図１０】
0004481420.tif 000011